(57)【要約】【課題】  従来の手帳カバーの基本的な特徴を活かしつつ、二冊の手帳を同時に収納できる手帳カバーを提供する。【解決手段】  手帳表紙の外側面を覆う面積を有するカバー本体４の一側に第一の表紙端部収容部５が設けられ、前記カバー本体４の他側に第二の表紙端部収容部７が設けられている手帳カバーであって、前記カバー本体４の中央部には、表裏に第三及び第四の表紙端部収容部１１，１２を有する中間カバー３が設けられている。【選択図】    図１
2013220646.tif 000002
【特許請求の範囲】
【請求項１】
手帳表紙の外側面を覆う面積を有するカバー本体の一側に第一の表紙端部収容部が設けられ、前記カバー本体の他側に第二の表紙端部収容部が設けられている手帳カバーであって、前記カバー本体の中央部には、表裏に第三及び第四の表紙端部収容部を有する中間カバーが設けられている、手帳カバー。
【請求項２】
前記第三及び第四の表紙端部収容部の少なくとも何れかの上面に、内側が開口されたカード収容部が設けられている、請求項１に記載の手帳カバー。
【請求項３】
前記中間カバーはのりしろを備え、該のりしろによって前記カバー本体に貼り付けられている、請求項１又は２に記載の手帳カバー。
【請求項４】
カバー本体の両側に第一の表紙端部収容部と第二の表紙端部収容部とが設けられている手帳カバーの間に取り付けて使用する中間カバーであって、表裏に第三及び第四の表紙端部収容部を備えている、中間カバー。
【請求項５】
カバー本体の両側に第一の表紙端部収容部と第二の表紙端部収容部とが設けられている手帳カバーの間に取り付けて使用する中間カバーの製造方法であって、本体シートとなる第一のシートの下に一部を重ね合わせて第二のシートを配設し、該第二のシートを前記第一のシート上に折り重ね、前記二つのシートの上下縁部の重なり部分をヒートシールして一体化させることで前記本体シートの表裏に同時に表紙端部収容部を形成することを特徴とする、中間カバーの製造方法。
【請求項６】
カバー本体の両側に第一の表紙端部収容部と第二の表紙端部収容部とが設けられている手帳カバーの間に取り付けて使用する中間カバーの製造方法であって、本体シートとなる第一のシートの下に一部を重ね合わせて第二のシートを配設し、該第二のシートの上に第三のシートを配設し、前記第二のシートを前記第三のシートとともに前記第一のシート上に折り重ね、前記三つのシートの上下縁部の重なり部分をヒートシールして一体化させることで、前記本体シートの表裏に同時に表紙端部収容部を形成し、且つ、一方の表紙端部収容部上にカード収容部を形成することを特徴とする、中間カバーの製造方法。
【発明の詳細な説明】
【技術分野】
【０００１】
本発明は、薬手帳等の手帳、その他の冊子に被せて使用する手帳カバーに関するものであり、二冊の手帳を同時に収納できる手帳カバーに関するものである。本発明はまた、該手帳カバーを構成する中間カバーと、その製造方法に関するものである。
【背景技術】
【０００２】
出願人は、製造が容易で安価に提供できる手帳カバーとして、特許文献１に記載のものを提案している。この手帳カバーは、次の構成を有する。手帳表紙の外側面を覆う面積を有するカバー本体の一側には、手帳の一方の表紙の端部を収容する第一の表紙端部収容部が設けられている。該第一の表紙端部収容部の上面には、内側が開口されたカード収容部が設けられている。また、前記カバー本体の他側には、手帳の他方の表紙の端部を収容する第二の表紙端部収容部が設けられている。
【先行技術文献】
【特許文献】
【０００３】
【特許文献１】実用新案登録第３１４２３９１号公報
【発明の概要】
【発明が解決しようとする課題】
【０００４】
本発明は、前記手帳カバーの基本的な特徴を活かしつつ、二冊の手帳を同時に収納できる手帳カバーを提供しようとするものである。本発明はまた、前記手帳カバーの作成に好適な中間カバー及びその製造方法を提供しようとするものである。
【課題を解決するための手段】
【０００５】
前記課題を解決するため、本発明に係る手帳カバーは、手帳表紙の外側面を覆う面積を有するカバー本体の一側に第一の表紙端部収容部が設けられ、前記カバー本体の他側に第二の表紙端部収容部が設けられている手帳カバーであって、前記カバー本体の中央部には、表裏に第三及び第四の表紙端部収容部を有する中間カバーが設けられていることを特徴とする（請求項１）。
【０００６】
本発明によれば、前記第一及び第二の表紙端部収容部のいずれか一方と、前記第三及び第四の表紙端部収容部のいずれか一方とを用いて、一冊目の手帳を覆うことができる。また、前記第一及び第二の表紙端部収容部のいずれか他方と、前記第三及び第四の表紙端部収容部のいずれか他方とを用いて、二冊目の手帳を覆うことができる。一つの手帳カバーで二冊の手帳を収納できるので、便利である。
【０００７】
好適な実施の一形態として、前記第三及び第四の表紙端部収容部の少なくとも何れかの上面に、内側が開口されたカード収容部が設けられている態様を例示する（請求項２）。このようにすれば、二冊の手帳に加えてカードも収納できるので、一層便利である。使用方法としては、例えば、処方された薬の名前や使用量、使用回数、使用方法等を記録するための薬手帳二冊と、病院や診療所等で用いる受診カードや保険証カード等を同時に収納することができる。
【０００８】
好適な実施の一形態として、前記中間カバーはのりしろを備え、該のりしろによって前記カバー本体に貼り付けられている態様を例示する（請求項３）。
【０００９】
本発明に係る中間カバーは、カバー本体の両側に第一の表紙端部収容部と第二の表紙端部収容部とが設けられている手帳カバーの間に取り付けて使用する中間カバーであって、表裏に第三及び第四の表紙端部収容部を備えたものである（請求項４）。
【００１０】
本発明に係る中間カバーの製造方法は、本体シートとなる第一のシートの下に一部を重ね合わせて第二のシートを配設し、該第二のシートを前記第一のシート上に折り重ね、前記二つのシートの上下縁部の重なり部分をヒートシールして一体化させることで前記本体シートの表裏に同時に表紙端部収容部を形成することを特徴とする（請求項５）。
【００１１】
また、他の実施の形態に係る中間カバーの製造方法は、本体シートとなる第一のシートの下に一部を重ね合わせて第二のシートを配設し、該第二のシートの上に第三のシートを配設し、前記第二のシートを前記第三のシートとともに前記第一のシート上に折り重ね、前記三つのシートの上下縁部の重なり部分をヒートシールして一体化させることで、前記本体シートの表裏に同時に表紙端部収容部を形成し、且つ、一方の表紙端部収容部上にカード収容部を形成することを特徴とする（請求項６）。
【図面の簡単な説明】
【００１２】
【図１】本発明の実施の一形態に係る手帳カバーの斜視図である。
【図２】図１の手帳カバーの使用状態を示す斜視図である。
【図３】図１の手帳カバーを構成する中間カバーの製造方法の説明図である。
【図４】他の実施の形態に係る中間カバーと、その製造方法の説明図である。
【発明を実施するための形態】
【００１３】
以下、添付図面を参照して、本発明の実施の一形態について説明する。
【００１４】
本発明の実施の一形態に係る手帳カバー１は、図１（ａ）（ｂ）に示すように、前記特許文献１に記載の手帳カバー（以下、基本手帳カバー）２に中間カバー３を付加したものである。前記基本手帳カバー２も前記中間カバー３も、ポリプロピレン、塩化ビニール等のプラスチックシートで作製される。
【００１５】
まず、前記基本手帳カバー２について簡単に説明する。該基本手帳カバー２は、カバー本体４と、第一の表紙端部収容部５と、第一のカード収容部６と、第二の表紙端部収容部７と、を備える。
【００１６】
前記カバー本体４は、手帳表紙の外側面を覆う面積を有する。前記カバー本体４の一側には、前記第一の表紙端部収容部５が設けられている。一方、前記カバー本体４の他側には、前記第二の表紙端部収容部７が設けられている。前記第一の表紙端部収容部５は相対的に深く形成され、前記第二の表紙端部収容部７は相対的に浅く形成されている。
【００１７】
前記第一の表紙端部収容部５の上面には、前記第一のカード収容部６が配設されている。該第一のカード収容部６は、手帳の綴じ目側へ向けて横向きに開口している。図示例では、前記第一のカード収容部６が上下二段に形成されている。前記第一のカード収容部６の入口において、その下にある前記第一の表紙端部収容部５の形成シートが手帳の綴じ目側へ突出している。このため、カードＣを前記第一の表紙端部収容部の形成シート上で滑らせながら前記第一のカード収容部６にカードを出し入れすることができ、カードＣの出し入れが容易に行える。
【００１８】
前記中間カバー３は、前記カバー本体４の中央部、すなわち、前記基本手帳カバー２の折り目８となる位置に設けられる。前記中間カバー３は、前記カバー本体４へ接着するためののりしろ９を有する。こののりしろ９に沿って折り目１０が設けられる。前記中間カバー３は、前記のりしろ９を利用して前記基本手帳カバー２の中央部に貼り付けられる。
【００１９】
前記中間カバー３の表裏両側には、第三及び第四の表紙端部収容部１１，１２が設けられている。限定はされないが、図示例では、前記第三の表紙端部収容部１１が相対的に浅く形成され、前記第四の表紙端部収容部１２が相対的に深く形成されている。
【００２０】
前記中間カバー３上には、第二のカード収容部１３が配設されている。該第二のカード収容部１３は、深く形成された前記第四の表紙端部収容部１２上に形成されている。前記第二のカード収容部１３は、前記第一のカード収容部６と同様に、手帳の綴じ目側へ向けて横向きに開口しており、上下二段に形成されている。
【００２１】
前記第二のカード収容部１３の入口において、その下にある前記第四の表紙端部収容部１２の形成シートが手帳の綴じ目側へ突出している。このため、カードＣを前記第四の表紙端部収容部１２の形成シート上で滑らせながら前記第二のカード収容部１３に出し入れすることができ、カードＣの出し入れが容易に行える。
【００２２】
本実施の形態に係る手帳カバー１によれば、図２（ｂ）に示すように、前記第一及び第三の表紙端部収容部５，１１を用いて、一冊目の手帳Ｎ１を収納することができる。また、前記第二及び第四の表紙端部収容部７，１２を用いて、二冊目の手帳Ｎ２を収納することができる。一つの手帳カバー１で二冊の手帳Ｎ１，Ｎ２を収納できるので、便利である。
【００２３】
前記第一の表紙端部収容部５は相対的に深く形成され、前記第三の表紙端部収容部１１は相対的に浅く形成されているので、一冊目の手帳Ｎ１の収納作業がやり易い。同様に、前記第二の表紙端部収容部７は相対的に浅く形成され、前記第四の表紙端部収容部１２は相対的に深く形成されているので、二冊目の手帳Ｎ２の収納作業もやり易い。
【００２４】
また、二冊の手帳Ｎ１，Ｎ２に加えて、前記第一及び第二のカード収容部６，１３に合計４枚のカードＣも収納できるので、一層便利である。カードＣを前記第一及び第四の表紙端部収容部５，１２の形成シート上で滑らせながら前記第一及び第二のカード収容部６，１３に出し入れすることができるので、カードＣの出し入れも容易に行える。
【００２５】
前記手帳カバー１の使用方法としては、例えば、処方された薬の名前や使用量、使用回数、使用方法等を記録するための薬手帳二冊と、病院や診療所等で用いる受診カードや保険証カード等を同時に収納することができる。
【００２６】
前記中間カバー３は、それ自体を商品として販売することができる。この場合、前記基本手帳カバー２を所有しているユーザーがそれに前記中間カバー３を貼り付けることによって、手帳二冊を収容できる手帳カバー１へと機能アップさせて使用することができる。また、前記中間カバー３と前記基本手帳カバー２とを予め一体化させた状態で、手帳二冊収容式の手帳カバー１として販売することもできる。
【００２７】
次に、前記中間カバー３の好適な製造方法について説明する。
【００２８】
図３に示すように、前記中間カバー３は、第一の帯状シート１４と、第二の帯状シート１５と、第三の帯状シート１６と、を用いて製造される。これらのシートは、ポリプロピレン、塩化ビニール等のプラスチック製である。前記第一の帯状シート１４は、前記中間カバー３の本体シートとなる。前記第二の帯状シート１５は、前記第二のカード収容部１３を形成するためのカード押さえとなり、さらに、前記第三の表紙端部収容部１１を形成するための第一の表紙押さえとなる。前記第三の帯状シート１６は、前記第四の表紙端部収容部１２を形成するための第二の表紙押さえとなる。
【００２９】
前記第一の帯状シート１４は、手帳の表紙一枚分を覆う幅Ｗ１と前記のりしろの幅Ｗ２とを合計した全幅Ｗ３を有する。前記第二の帯状シート１５は、前記第二のカード収容部１３の深さ寸法に相当する幅Ｗ４と前記第三の表紙端部収容部１１の深さ寸法に相当する幅Ｗ５とを合計した全幅Ｗ６を有する。前記第三の帯状シート１６は、前記第四の表紙端部収容部１２の深さ寸法に相当する幅Ｗ７を有する。
【００３０】
前記各帯状シート１４，１５，１６を、図３に示すように一部を重ね合わせた状態で配置し、各帯状シート１４，１５，１６をロール１４ａ，１５ａ，１６ａから繰り出しながら前方Ｆへ送る。前記中間カバー３の上下長さに相当する寸法間隔で、前記第三の帯状シート１６とこれに重合する前記第二の帯状シートの重合部分を切断する。併せて、前記中間カバー３の上下長さの半分に相当する部分であって、前記第二の帯状シート１５と前記第三の帯状シート１６との重合部分を横一直線にヒートシール等で接合する。このヒートシール部１７を挟んで上下二段に前記第二のカード収容部１３が形成される。
【００３１】
次いで、前記第二の帯状シート１５と前記第三の帯状シート１６との重合部分を前記第一の帯状シート１４上に折り重ね、前記三つの帯状シート１４，１５，１６の上下縁部の重なり部分をヒートシールして一体化させる。併せて、前記のりしろに接着剤を塗布し、その上を剥離テープ（図示せず）で覆う。
【００３２】
以上のようにして製造される中間カバー３によれば、前記第一の帯状シート１４と前記第二の帯状シート１５とにより、それらの間に前記第三の表紙端部収容部１１が形成され、前記第一の帯状シート１４と前記第三の帯状シート１６とにより、それらの間に前記第四の表紙端部収容部１２が形成される。そして、前記第二の帯状シート１５と前記第三の帯状シート１６とにより、それらの間に前記第二のカード収容部１３が形成される。
【００３３】
なお、前記第一乃至第三の帯状シート１４，１５，１６を、予め中間カバー１つ分の要素に裁断して第一乃至第三のシートとし、その後、それらを図３に示したように重ね合わせて中間カバーを作成できることは勿論である。
【００３４】
図４には、他の実施の形態による中間カバー１８と、その好適な製造方法が示されている。
【００３５】
図４の中間カバー１８は、本体シート（第一のシート）１９の表裏両側に同じ深さの第三及び第四の表紙端部収容部２０，２１を備える。勿論、これら二つの表紙端部収容部の深さを互いに違えることは任意である。
【００３６】
図４の中間カバー１８の製造方法は次の通りである。前記二つの表紙端部収容部２０，２１の深さの合計寸法に相当する横幅Ｗ８の表紙押さえシート（第二のシート）２２を準備し、前記本体シート１９の下に一部を重ね合わせて前記表紙押さえシート２２を配設する。該表紙押さえシート２２を前記本体シート１９上に折り重ね、これら二つのシート１９，２２の上下縁部の重なり部分２３，２４をヒートシールして一体化させる。これにより、前記本体シート１９の表裏両側のそれぞれに、前記第三及び第四の表紙端部収容部２０，２１のそれぞれを同時に形成することができる。前記本体シート１９の他方の縦縁に沿って、折り目１０を介してのりしろ９が設けられる。こののりしろ９に接着剤を塗布し、その上を剥離テープで覆うことは図３の例と同じである。
【００３７】
なお、図４の中間カバー１８において、前記第三及び第四の表紙端部収容部２０，２１の上にカード収容部を配設してもよいことは勿論である。この場合も、図３の例と同様に、横向き開口のカード収容部とするのが好ましい。
【符号の説明】
【００３８】
１    手帳カバー
２    基本手帳カバー
３    中間カバー
４    カバー本体
５    第一の表紙端部収容部
６    第一のカード収容部
７    第二の表紙端部収容部
９    のりしろ
１０  折り目
１１  第三の表紙端部収容部
１２  第四の表紙端部収容部
１３  第二のカード収容部
１４  第一の帯状シート（第一のシート）
１５  第二の帯状シート（第二のシート）
１６  第三の帯状シート（第三のシート）
１８  中間カバー
１９  本体シート（第一のシート）
２０  第三の表紙端部収容部
２１  第四の表紙端部収容部
２２  表紙押さえシート（第二のシート）
【図１】
2013220646.tif 000003
【図２】
2013220646.tif 000004
【図３】
2013220646.tif 000005
【図４】
2013220646.tif 000006